(57)【要約】【課題】火災発信機と外観的に融合した装置として使用することが可能であり視認性の向上を図ることができる表示灯を提供する。【解決手段】前方から操作可能な押釦および押釦が操作されたことを検知して信号を出力する回路基板を内蔵した本体ケースと押釦の一部が露出する開口部を有する取付けベース体とを備えた発信機と合体された状態で設置される表示灯において、本体ケースを収容する収容部と、前面が取付けベース体の前面とほぼ同一平面をなす表示パネル部と、表示パネル部の裏面側に凹部を形成する凹部形成壁とを有する表示部本体と、前記凹部に収納された発光源を有する基板とを備え、前記収容部および表示パネル部は、光拡散剤が混入され光を透過可能な合成樹脂により一体に成型され、前記基板は発光源が外向きに光を出射するように前記凹部に収納した。【選択図】図８
2018195181.tif 000002
【特許請求の範囲】
【請求項１】
前方から操作可能な押釦および前記押釦が操作されたことを検知して信号を出力する回路基板を内蔵した本体ケースと前記押釦の一部が露出する開口部を有する取付けベース体とを備えた発信機と合体された状態で設置される表示灯であって、
前記本体ケースを収容する収容部と、前面が前記取付けベース体の前面とほぼ同一平面をなす表示パネル部と、前記表示パネル部の裏面側に凹部を形成する凹部形成壁とを有する表示部本体と、
前記凹部に収納される発光源を有する基板と、を備え、
前記収容部および前記表示パネル部は、光拡散剤が混入され光を透過可能な合成樹脂により一体に成型され、
前記基板は前記発光源が外向きに光を出射するように配設されていることを特徴とする表示灯。
【請求項２】
前記発光源は前記収容部の側壁を形成する壁体に向けて配設され、前記壁体は入射された光を前記表示パネル部へ誘導可能であり、前記壁体の前端には前記表示パネル部に連続するテーパ部が設けられていることを特徴とする請求項１に記載の表示灯。
【請求項３】
前記表示パネル部と前記テーパ部との境界部には、前記発信機の前記取付けベース体の端部と係合可能な段差部が形成されていることを特徴とする請求項２に記載の表示灯。
【請求項４】
外側に対して非透過性の加工および／または内部に対しては反射性の高い加工が施され、前記収容部の背部および前記凹部形成壁の外側を覆うように嵌合される裏面カバーを備えることを特徴とする請求項１〜３のいずれかに記載の表示灯。
【請求項５】
前記収容部は、前記本体ケースが挿通可能な開口を有する台座部を備え、
前記裏面カバーは、前記台座部の背部を覆い前記凹部形成壁の外側面に接触もしくは近接するように配設されていることを特徴とする請求項４に記載の表示灯。
【請求項６】
前記裏面カバーの少なくとも前記台座部の背部および前記凹部形成壁の外側面に対応する面は黒色であることを特徴とする請求項５に記載の表示灯。
【請求項７】
前記表示パネル部は左右一対の表示部を有するように構成され、前記収容部の左右両側方にはそれぞれ前記凹部が形成され、前記凹部には前記発光源を有する前記基板が、前記発光源が外向きに光を出射するようにそれぞれ配設されていることを特徴とする請求項１〜６のいずれかに記載の表示灯。
【請求項８】
前記表示パネル部の前記表示部には複数の円弧状のＶ溝が同心円状に形成されており、
前記凹部形成壁の形成位置よりも中心寄りに位置するＶ溝は互いに所定の間隔をおいて形成され、前記凹部形成壁の形成位置よりも外寄りに位置するＶ溝は間隔をおかずに形成されていることを特徴とする請求項７に記載の表示灯。
【請求項９】
前記表示パネル部の前記凹部形成壁の形成位置よりも中心寄りに位置する第１部位の厚みは、前記凹部形成壁の形成位置よりも外寄りに位置する第２部位の厚みよりも厚くされ、前記第１部位および第２部位に、複数の円弧状のＶ溝が同心円状に形成されていることを特徴とする請求項７または８に記載の表示灯。
【請求項１０】
前記収容部の左右両側方に形成されている前記凹部にそれぞれ配設されている前記基板の少なくとも一方には、当該基板の一方の端から他方の端まで連続する線条の導電体が設けられ、他方の前記基板には前記導電体および該導電体の給電を受ける側と反対側の端部に接続されたリード線を介して前記発光源の電源が供給されるように構成されていることを特徴とする請求項７〜９のいずれかに記載の表示灯。
【発明の詳細な説明】
【技術分野】
【０００１】
本発明は、場所や警告を知らせるための表示灯に関し、例えば防災設備の場所を示すために防災設備やその近傍に取り付けられ発信機と合体して外観的に融合する防災用表示灯に利用して有効な技術に関する。
【背景技術】
【０００２】
従来、建物内部には火災の発生を知らせるために、火災報知システムが設けられている。火災報知システムは、火災感知器や押釦スイッチを備えた手動の火災発信機、受信機、火災報知用のベル、表示灯などから構成され、このうち火災発信機は建物の廊下等の壁面に適切な高さで設置されている。火災発生時には、発見者が火災発信機の押釦スイッチを強く押すことにより、火災発生を知らせる信号が受信機に伝送されると共に、火災発信機の近傍に設けられるベルから警報音が発せられて、周囲の人に対し火災発生を知らせることができる。
【０００３】
一方、表示灯は、発信機や消火栓箱等の防災機器の設置位置を表示するために設けられている機器で、従来は砲弾状ないしはドーム状のものが一般的であった。また、近年、前面が平坦もしくは円盤状をなすフラットタイプの表示灯や、発信機と一体に構成された表示灯も実用化されている。発信機と一体に構成された表示灯に関する発明としては、例えば特許文献１や２に記載されているものがある。
【先行技術文献】
【特許文献】
【０００４】
【特許文献１】特開２０１４−１５７４４６号公報
【特許文献２】特開２０１６−１６７４６４号公報
【発明の概要】
【発明が解決しようとする課題】
【０００５】
従来の一般的な火災発信機は、比較的大型の円盤状のもので表示灯を備えていないため、取付け箇所に制約が生じたり、消防法等の要請により近傍に表示灯を設置する必要がある場合に対応できなかったりして、柔軟性が低いという課題があった。
一方、従来の一般的な表示灯は、砲弾形であり、通行や搬入作業等の建物の通常使用において障害物となることがあるため、薄型形状のものが望まれている。
【０００６】
特許文献１や２に記載されている発明のように、発信機と表示灯とを一体に構成するようにしたものは、上記のような要望にある程度応えることができるものの、いずれも表示灯が発信機の周囲全体を囲むリング状に構成されているため、充分な視認性を確保しようとすると全体が大型になってしまう一方、発信機の大きさに制限があるような場合に小型化を優先しようとすると、表示灯の大きさが小さくなり視認性が低下してしまうという課題がある。
また、表示灯の発光源として複数のＬＥＤ（発光ダイオード）または複数の電球を使用してその前面側を光透過性のカバーで覆うようにした場合、カバー越しにそれぞれのＬＥＤや電球の位置が分かってしまったり、ＬＥＤや電球から離れるに従って暗くなってしまったりするなど、明るさにムラが生じるという課題があることが分かった。
【０００７】
本発明は上記のような課題に着目してなされたもので、その目的とするところは、火災発信機と外観的に融合した装置として使用することが可能であるとともに、突出量が少なく通行や搬入作業等の際に障害物となることがない表示灯を提供することにある。
本発明の他の目的は、発光源として複数のＬＥＤや電球を使用しその前面側を光透過性のカバーで覆うようにした場合に、明るさにムラが生じない表示灯を提供することにある。
【課題を解決するための手段】
【０００８】
上記課題を解決するために、本発明は、
前方から操作可能な押釦および前記押釦が操作されたことを検知して信号を出力する回路基板を内蔵した本体ケースと前記押釦の一部が露出する開口部を有する取付けベース体とを備えた発信機と合体された状態で設置される表示灯において、
前記本体ケースを収容する収容部と、前面が前記取付けベース体の前面とほぼ同一平面をなす表示パネル部と、前記表示パネル部の裏面側に凹部を形成する凹部形成壁とを有する表示部本体と、
前記凹部に収納される発光源を有する基板と、を備え、
前記収容部および前記表示パネル部は、光拡散剤が混入され光を透過可能な合成樹脂により一体に成型され、
前記基板は前記発光源が外向きに光を出射するように配設した。
【０００９】
上記構成によれば、発信機と合体された状態で設置される構成を有するとともに前面が発信機の取付けベース体の前面とほぼ同一平面をなす表示パネル部を備えているため、火災発信機と外観的に融合した装置として使用することが可能であるとともに、表示部の突出量が少なく通行や搬入作業等の際に障害物となることがないようにすることができる。また、収容部および表示パネル部は、光拡散剤が混入され光を透過可能な合成樹脂により一体に成型され、基板は発光源が外向きに光を出射するように配設されているため、発光源として複数のＬＥＤや電球を使用しその前面側を光透過性のカバーとしての表示パネルで覆うようにした場合に、明るさにムラが生じないようにすることができる。
【００１０】
ここで、望ましくは、前記発光源は前記収容部の側壁を形成する壁体に向けて配設され、前記壁体は入射された光を前記表示パネル部へ誘導可能であり、前記壁体の前端には前記表示パネル部に連続するテーパ部が設けられているように構成する。
かかる構成によれば、テーパ部によって壁体からの光を反射して表示パネル部へ誘導することができるとともに、収容部の側壁を形成する壁体を光拡散剤が混入された合成樹脂により構成することにより、光が拡散され明るさにムラが生じないようにすることができる。
【００１１】
また、望ましくは、前記表示パネル部と前記テーパ部との境界部には、前記発信機の前記取付けベース体の端部と係合可能な段差部が形成されているようにする。
かかる構成によれば、表示パネル部の前面と発信機の取付けベース体の前面とがほぼ同一平面を形成するようにすることができ、左右方向から発光表示が見易くすることができる。
さらに、望ましくは、外側に対して非透過性の加工および／または内部に対しては反射性の高い加工が施され、前記収容部の背部および前記凹部形成壁の外側を覆うように嵌合される裏面カバーを備えるようにする。これにより、表示部の背部へ漏れる光の量を減らして、表示部をより明るく表示させることができる。
【００１２】
さらに、望ましくは、前記収容部は、前記本体ケースが挿通可能な開口を有する台座部を備え、前記裏面カバーは、前記台座部の背部を覆い前記凹部形成壁の外側面に接触ないしは近接するように配設されているようにする。
かかる構成によれば、発信機の収容部の側壁を形成する壁体へ入射された光を台座部および凹部形成壁の外面で内側へ反射させて外部に光が漏れないようにすることができるため、表示パネル部からの発光量を増加させより明るく表示させることができる。
ここで、前記裏面カバーの少なくとも前記台座部の背部および前記凹部形成壁の外側面に対応する面は黒色であるようにするのが望ましい。これにより、台座部および凹部形成壁の外面でより効果的に光を反射させることができる。
【００１３】
また、望ましくは、前記表示パネル部は左右一対の表示部を有するように構成され、前記収容部の左右両側方にはそれぞれ前記凹部が形成され、前記凹部には前記発光源を有する前記基板が、前記発光源が外向きに光を出射するようにそれぞれ配設されているようにする。
かかる構成によれば、表示灯が左右一対の表示部を備えこれらの表示部の背部にそれぞれ発光源が配設される凹部が設けられるため、表示部が一つであるものに比べて見かけ上の発光表示面積を大きくすることができる。
【００１４】
さらに、望ましくは、前記表示パネル部の前記表示部には複数の円弧状のＶ溝が同心円状に形成されており、
前記凹部形成壁の形成位置よりも中心寄りに位置するＶ溝は互いに所定の間隔をおいて形成され、前記凹部形成壁の形成位置よりも外寄りに位置するＶ溝は間隔をおかずに形成されているようにする。
かかる構成によれば、表示パネル部の中心寄りの領域ではＶ溝により光の一部を前方へ出射させつつ残りの光を外側へ広げ、表示パネル部の外寄りの領域ではＶ溝により光の大部分を前方へ出射させることができるため、表示部全体を有効に発光表示させることができる。
【００１５】
さらに、望ましくは、前記表示パネル部の前記凹部形成壁の形成位置よりも中心寄りに位置する第１部位の厚みは、前記凹部形成壁の形成位置よりも外寄りに位置する第２部位の厚みよりも厚くされ、前記第１部位および第２部位に、複数の円弧状のＶ溝が同心円状に形成されているようにする。
かかる構成によれば、表示部全体をより均等に発光表示させることができる。
【００１６】
さらに、望ましくは、前記収容部の左右両側方に形成されている前記凹部にそれぞれ配設されている前記基板の少なくとも一方には、当該基板の一方の端から他方の端まで連続する線条の導電体が設けられ、他方の前記基板には前記導電体および該導電体の給電を受ける側と反対側の端部に接続されたリード線を介して前記発光源の電源が供給されるように構成する。
かかる構成によれば、給電側のリード線にねじれが生じるのを回避し、中継基板を設けた場合に中継基板の浮き上がりを防止することができる
【発明の効果】
【００１７】
本発明によれば、火災発信機と外観的に融合した装置として使用することが可能であるとともに、突出量が少なく通行や搬入作業等の際に障害物となることがない表示灯を実現することができる。また、発光源として複数のＬＥＤや電球を使用しその前面側を光透過性のカバーで覆うようにした場合に、明るさにムラが生じない表示灯を実現することができる。
【図面の簡単な説明】
【００１８】
【図１】本発明に係る表示灯と外観的に融合させて使用するのに好適な火災発信機の一例を示すもので、（Ａ）は発信機の正面図、（Ｂ）は発信機の側面図である。
【図２】図１の火災発信機の内部構造を示す分解斜視図である。
【図３】図１の火災発信機を斜め後方から見た斜視図である。
【図４】図１の火災発信機の中央にて切断して内部構造を示した縦断面図である。
【図５】図１の火災発信機を消火栓箱の扉等のパネルに取り付ける際の様子を示す斜視図である。
【図６】実施形態の表示灯を発信機と合体させた状態を示す斜視図である。
【図７】実施形態の表示灯を構成する表示部本体を示すもので、（Ａ）は斜視図、（Ｂ）は底面図、（Ｃ）は断面図である。
【図８】実施形態の表示灯を構成する表示部本体を示す背面図である。
【図９】表示部本体の背面側に接合される裏面カバーの具体例を示すもので、（Ａ）は正面図、（Ｂ）は断面図である。
【図１０】表示部本体の背面に裏面カバーを嵌合させた状態を示す側面図である。
【図１１】本発明に係る表示灯を火災発信機と合体して消火栓箱の扉等のパネルの取り付ける際の様子を示す斜視図である。
【発明を実施するための形態】
【００１９】
以下、図面を参照して、本発明に係る表示灯およびこれと外観的に融合させて使用するのに好適な火災発信機の一実施形態について説明する。
本実施形態における火災発信機（以下、単に発信機と記す）１０は、火災等の異常が発生した際に押釦を強く押して内部のスイッチをオンさせることにより異常の発生を知らせる信号を受信機に伝送する機能を備え、建造物の壁面あるいは消火栓箱の扉などに設置されて使用されるように構成されている。具体的には、本実施形態の発信機は、押釦スイッチを有する発信機本体と、発信機本体を壁面等に取り付けるためのリング状のナットからなる固定手段と、発信機本体と合体して外観的に融合する表示灯などから構成される。
【００２０】
図１〜図４は、発信機の構成を示す。このうち、図１（Ａ）は発信機の正面図、図１（Ｂ）は発信機の側面図、図２は発信機の分解斜視図、図３は図１に示す火災発信機を斜め後方から見た斜視図、図４は図１に示す火災発信機の中央にて切断して内部構造を示した縦断面図である。
図１に示すように、発信機１０は、前面中央に押釦１１が設けられており、該発信機１０を壁面等に取り付けるための固定手段としてのリング状ナット２０を備える。
【００２１】
また、発信機１０は、前面視小判状（円を２本の平行線で上下に切断し、切断された左右両側の弓状部を除いた形状）をなしほぼ中央に押釦１１を有する本体ケース１２と、該本体ケース１２の前端部と係合する収納枠部１３Ａを背部に有する取付けベース体１３と、を備える。取付けベース体１３は、ほぼ平坦な前面パネル部を有し該前面パネル部の縁部に、上フランジ部１３Ｂ1および下フランジ部１３Ｂ2と横フランジ部１３Ｂ3（図３参照）が設けられているとともに、中央に押釦１１の前面が臨む開口部１３Ｃが形成されている。また、取付けベース体１３の収納枠部１３Ａは上面と下面がそれぞれ円筒の一部をなす円弧状に形成され、それらの周面に、リング状ナット２０が螺合可能な部分雄ネジ１３Ｄ1，１３Ｄ2が形成されている。
【００２２】
さらに、取付けベース体１３の前面には、上記開口部１３Ｃの上方に、収納凹部１３Ｅ（図２参照）が形成され、該収納凹部１３Ｅの前面側を覆うように小扉１４が設けられている。小扉１４は、両側部に上下方向に沿って所定の高さを有するリブ１４ａ，１４ａが形成され、該リブ１４ａ，１４ａの外側面にガイド溝１４ｂが形成されている。そして、該ガイド溝１４ｂが収納凹部１３Ｅの側壁面に形成されている突状部１３ａに係合されるとともに、ガイド溝１４ｂの一方の端（図２では上側の端部）が閉塞されている。また、収納凹部１３Ｅの底壁には、突状部１３ａに対応する高さ位置に、小扉１４の断面形状に対応した横長の矩形開口部１３ｂと、取付けベース体１３から本体ケース１２が外れるのを防止する脱落防止ネジ２３が挿通されるネジ挿通孔１３ｅが形成されている。
【００２３】
なお、上記収納凹部１３Ｅの底壁には、本体ケース１２に内蔵される後述の回路基板上に設けられている電話コネクタに接続された電話ジャックに対応して電話機プラグを挿通可能にするための電話機プラグ差込口１３ｃと、後述の押釦ロック解除用の復旧レバー１７の先端が突出するための開口１３ｄが形成されている。
【００２４】
押釦１１は、下方へ向かって伸びる２本の脚部１１ａ，１１ａを有し、該脚部１１ａ，１１ａの先端（図では下端）には、外側方へ向って突出する突起が形成されており、該突起が本体ケース１２の前面下部に設けられている一対の支承部１２ｂ，１２ｂ（図４参照）に係合されることで、突起を支点にして前後に回動可能に構成されている。また、押釦１１の背部と本体ケース１２との間には、圧縮バネ１５および押釦スイッチ１６が配設され、押釦１１が圧縮バネ１５のバネ力に抗して後方へ押圧されると、押釦スイッチ１６がオンされるように構成されている。
【００２５】
さらに、押釦１１の上端には係止片１１ｃが形成されているとともに、本体ケース１２の前面の収容凹部１２Ａ内に収容され先端が上下動可能にされた復旧レバー１７および該復旧レバー１７を下方へ向かって押圧する圧縮バネ１８が設けられており、押釦１１が押圧されると上端の係止片１１ｃが復旧レバー１７の先端の爪１７ａに係合することで押圧された状態が保持される。また、この状態で、復旧レバー１７の先端が圧縮バネ１８のバネ力に抗して上方へ持ち上げられると、係止片１１ｃと復旧レバー１７の爪１７ａとの係合が外れ、圧縮バネ１５のバネ力によって押釦１１が前方へ押されて元の位置に復帰するように構成されている。
【００２６】
また、本体ケース１２の背部には、発光素子Ｌ１が実装された回路基板１９および該回路基板１９を覆う背面カバー２１が、ネジ２２によって装着されるように構成されている。本体ケース１２には、押釦１１の背部に相当する位置に発光素子Ｌ１の先端が突出する孔１２ａが形成されているとともに、押釦１１が半透明な樹脂で形成されることで、押釦１１を押すことにより押釦スイッチ１６がオンされて火災発生を知らせる信号が受信機に伝送され、火災発信機からの信号で発光素子Ｌ１が点灯され、その光が半透明な押釦１１を通して視認できるように構成されている。
【００２７】
回路基板１９上には、押釦スイッチ１６がオンされたことを検知して火災発生信号を生成する信号生成回路や生成された信号火災受信機へ送信する信号出力回路、火災発信機からの信号を受信する信号受信回路、受信した信号に応じて発光素子Ｌ１を点灯させる駆動回路、電話ジャックに接続され火災発信機の電話機との間で通話信号を送受信する送受信回路などを構成する抵抗やコンデンサ、ＩＣなどの電子部品が実装され、基板にはこれらの電子部品間を電気的に接続する配線パターンが形成されている。
【００２８】
上記本体ケース１２と取付けベース体１３とは、取付けベース体１３背部の収納枠部１３Ａと本体ケース１２の前端部（小判状部分）との嵌め合いにより一体化され、取付けベース体１３の収納枠部１３Ａの底壁に設けられているネジ挿通孔１３ｅに挿通されるネジ２３と、本体ケース１２の収容凹部１２Ａ内に設けられたボス部１２Ｂ内に埋設されたナット（図示省略）とによって結合されるように構成されている。
また、背面カバー２１には、一対の固定用のネジ２２が挿通される一対のネジ挿通孔２１ａと、上記回路基板１９上の回路と火災受信機とを接続するリード線が接続される端子台１９Ａを露出させたりリード線を引き出したりするための開口部２１ｂが設けられている。
【００２９】
上記のような構成を有する火災発信機１０は、例えば図６に示すように、本体ケース１２の外形に対応した形状の開口３０Ａを有する消火栓箱や各種機器収容箱の扉のパネルあるいは建物の壁面に設けられている取付けパネルのようなパネル３０を挟むようにして、火災発信機１０とリング状のナット２０を対向させ、火災発信機１０の本体ケース１２をパネル３０の開口３０Ａ内に挿入して、背部に突出した取付けベース体１３の外周面の部分雄ネジ１３Ｄ1と１３Ｄ2に、リング状のナット２０の雌ネジ部２０Ａを螺合させることで、取付けベース体１３とナット２０とでパネル３０を挟み込むことでパネル３０に取り付けられる。
【００３０】
次に、図６〜図１０を用いて、上記のように構成された発信機と合体して外観的に融合した状態で設置される表示灯の実施例について説明する。このうち、図６は本実施例の表示灯５０と発信機１０とを合体させた状態を、図７および図８は本実施例の表示灯５０を構成する表示部本体５１の構成を、図９は表示部本体５１の背面側に接合される裏面カバー６０の構成を示す。また、図１０は表示部本体５１の背部に裏面カバー６０を嵌合させた状態を示す。
図６から分かるように、本実施例に係る表示灯５０と発信機１０とを合体させた状態は、円盤状をなす既設の旧型火災発信機と類似の外観を有しており、既設の旧型火災発信機を壁面または消火栓箱の前面パネル等から外して本実施例の表示灯５０と発信機１０とを合体させたものに置き換えることができる。
【００３１】
表示部本体５１は、図７に示すように、発信機１０の左右両側方に位置する一対のプレート状の表示パネル部５１Ａ，５１Ｂと、発信機１０の本体ケース１２を収納可能な収納凹部５２Ａを有する台座部５２と、を備える。この台座部５２は、発信機１０と同様な小判状をなしており、台座部５２の底壁中央には、発信機１０の本体ケース１２が挿通可能な矩形状の開口５３が形成されている。
また、上記表示パネル部５１Ａ，５１Ｂおよび台座部５２は、光を拡散させる拡散剤を混入した透明もしくは半透明の合成樹脂（アクリル等）で一体成型されており、裏面カバー６０に収納されているＬＥＤが点灯されると表示パネル部５１Ａ，５１Ｂが明るくなるように構成されている。この際、ＬＥＤとして赤色ＬＥＤを使用することで表示パネル部５１Ａ，５１Ｂを赤色で発光させる。さらに、表示パネル部５１Ａ，５１Ｂおよび台座部５２を構成する合成樹脂に赤色の顔料を含ませるなどして赤色に着色することで、表示パネル部５１Ａ，５１Ｂをより鮮明な赤色で発光させるようにすることができる。
【００３２】
上記表示部本体５１の裏面に設けられている一対の光誘導壁５２ｅの前端には内側へ向かって下り傾斜するテーパ面５２ｃがそれぞれ形成されており、ＬＥＤから内側の発信機１０へ向う光を反射して外側の表示パネル部５１Ａ，５１Ｂへ広げるように構成されている。これにより、表示部本体５１前面の表示パネル部５１Ａ，５１Ｂへ向う光の量を多くして、表示パネル部５１Ａ，５１Ｂの発光状態を視認し易くすることができる。また、テーパ面５２ｃを形成することにより、当該部位を直角に折曲したものに比べて、ＬＥＤの光が点状に見えて表示面に光のムラが生じるのを抑制することができる。さらに、上記表示パネル部５１Ａ，５１Ｂとテーパ面５２ｃとの境界には発信機１０の取付けベース体１３の厚さ分の段差が設けられている。これにより、表示パネル部５１Ａ，５１Ｂの前面と発信機１０の取付けベース体１３の前面とがほぼ同一平面を形成するようにすることができ、左右方向から発光表示が見易くなる。
【００３３】
一方、上記表示部本体５１の裏面には、図８に示すように、表示パネル部５１Ａ，５１Ｂの径よりも少し小さな径を有する円筒状周壁５１Ｃが設けられているとともに、矩形状の開口５３の縁に沿ってリブ５２ａが形成されている。そして、該リブ５２ａから左右外側方へ少し離れた位置に、垂直方向に沿って一対の光誘導壁５２ｅが形成され、後述するようにこの光誘導壁５２ｅの内側面からＬＥＤの光が導入されて、光誘導壁内で反射を繰り返しながら前面の表示パネル部５１Ａ，５１Ｂへ光が誘導されるように構成されている。
【００３４】
また、プレート状の上記表示パネル部５１Ａ，５１Ｂの裏面には、断面がＶ字形状を呈する複数の円弧状のＶ溝５５が形成されており、ＬＥＤからの光をＶ溝５５の側壁面で反射して横方向へ広げるように構成されている。
さらに、表示パネル部５１Ａ，５１Ｂの裏面に形成されているＶ溝５５は、図７（Ｃ）に示すように、外縁の鍔部（中心から外寄りの領域）に形成されているＶ溝５５ａはプレート裏面に凹みを刻むようにして形成されているのに対し、ＬＥＤを収納する凹部５１ａ，５１ｂを形成する面に形成されている中心寄りの領域のＶ溝５５ｂは、プレート裏面に突条を形成することで設けられるようになっている。
【００３５】
Ｖ溝５５ａ，５５ｂが上記のように構成されていることにより、Ｖ溝５５ｂではテーパ面５２ｃからの光の一部を前方へ反射しつつ残りの光を外側へ広げるように反射させ、Ｖ溝５５ａでは中心側からの光を前方へ向かうように反射させることができる。その結果、Ｖ溝５５ａと５５ｂを同じ形態の溝として形成したものに比べて、表示パネル部５１Ａ，５１Ｂの鍔部の明るさを向上させ、この鍔部の明るさが、ＬＥＤが収納される凹部５１ａ，５１ｂの前方壁を形成する部位に比べて極端に明るさが暗くなるのを回避することができるようになっている。
【００３６】
また、発信機１０の本体ケース１２裏面に設けられている２個の位置決め用凹部１２ｄ（図３、図４参照）に対応して、表示灯５０（表示部本体５１）の台座部５２の底壁には、上記凹部１２ｄに対応する位置に当該凹部１２ｄに係合可能な位置決め用突起５２ｂが２個設けられており（図７(Ａ)参照）、発信機１０と表示灯５０とを合体させた際に、組み付け誤差を小さくし発信機１０と表示灯５０とのガタツキを減らすことができるようになっている。
【００３７】
さらに、本実施例においては、上記表示部本体５１の背面側に所定の色（例えば黒色）を有する合成樹脂製の裏面カバー６０が接合され、発信機１０の取付けベース体１３と取付けパネル３０との間に表示灯５０の台座部５２および裏面カバー６０を挟み込んだ状態で、発信機１０の取付けベース体１３とナット２０を螺合させることにより、これらの部品をネジによって結合することが可能に構成されている（後述）。裏面カバー６０は、上述したように非透過性の材料で形成しても良いが、それに限定されず、外側に対して非透過性の加工が施され、内部に対しては反射性の高い加工が施されていても良い。
【００３８】
図９および図１０には上記裏面カバー６０の具体例が示されている。
裏面カバー６０は、図９に示すように、表示部本体５１裏面の円筒状周壁５１Ｃに対応して円板状をなすプレート部６１と、プレート部６１の外周縁に沿って形成された円筒状をなす外壁部６２とを有し、プレート部６１の中央には、発信機１０の本体ケース１２が挿通可能な矩形状の開口６３が形成されている。外壁部６２は、表示部本体５１裏面の円筒状周壁５１Ｃの外周面にほぼ接触した状態でその内側に嵌合することができるように形成されている。
【００３９】
また、開口６３の縁部に沿って外壁部６２と同一高さの内壁６４が形成され、内壁６４のうち左右の側壁部６４ａ，６４ｂの外面に沿って複数個のＬＥＤが実装されたＬＥＤ実装基板６５Ａ，６５Ｂが配設されている。
そして、上記円筒状の外壁部６２には、上部と下部に発信機１０の取付けベース体１３の収納枠部１３Ａが係合する切欠き６２ａがそれぞれ形成されているとともに、下部の切欠き６２ａの中央にはＬＥＤ実装基板６５Ａ，６５Ｂのリード線７０が挿通される挿通孔６２ｂが設けられている。
【００４０】
なお、図９（Ｂ）においては、ＬＥＤ実装基板６５Ａ，６５Ｂの図示を省略している。
上記のように表示灯５０の円筒状周壁５１Ｃに黒色の裏面カバー６０が接触した状態で嵌合されることで、表示灯５０の円筒状周壁５１Ｃの裏面カバー６０と接触する外表面が光反射面として機能し、後述のように、表示部本体５１の裏面に設けられている光誘導壁５２ｅから導入された光が、円筒状周壁５１Ｃの外表面から漏れないように反射させ、表示灯５０の前面から出る光の量を多くすることができる。
【００４１】
また、上記実施形態では、内壁６４の左右両側壁部６４ａ，６４ｂの外側方にリブ６６ｃ，６６ｄが、所定の隙間を確保できるように形成されている。このように構成しているのは、この隙間に着色された光拡散プレートを介在させることで、表示パネル部の発光色を調整できるようにするためである。このような光拡散プレートを介在させることによって、赤色ＬＥＤの代わりに例えば電球色ＬＥＤ等他の発光源を使用するようにしても、表示灯５０を所望の色で発光表示させることができる。なお、内壁６４の左右両側壁部６４ａ，６４ｂとリブ６６ｃ，６６ｄの間に隙間を設けずに、ＬＥＤの頭部が前記表示部本体５１の裏面に形成されている一対の光誘導壁５２ｅに接した状態で合体するように構成しても良い。
【００４２】
さらに、内壁６４の左右両側壁部６４ａ，６４ｂの外側方には、基板の厚み分の隙間ができるように、内壁６４と同一高さを有する２組の係止片６６ａ，６６ｂが形成されており、内壁６４の左右両側壁部６４ａ，６４ｂと係止片６６ａ，６６ｂとの間にＬＥＤ実装基板６５Ａ，６５Ｂを差し込むことで、ＬＥＤ実装基板６５Ａ，６５Ｂが裏面カバー６０に取り付けられるように構成されている。
また、内壁６４の左右両側壁部６４ａ，６４ｂは上下方向に延長され、この延長部にＬＥＤ実装基板６５Ａ，６５Ｂのリード線７０が係合する切欠き６４ｃが設けられている。さらに、内壁６４の上壁部と下壁部の中央には、上方と下方へそれぞれ膨らむように形成された湾曲部６４ｄ，６４ｅが設けられている。
【００４３】
さらに、上記両側壁部６４ａ，６４ｂの延長部および上壁と下壁中央の湾曲部６４ｄ，６４ｅから少し離れた位置に、表示灯５０（表示部本体５１）の台座部５２に裏面カバー６０を結合するためのネジを挿通するためのネジ挿通穴を有する２個のボス部６７が設けられている。なお、上記ボス部６７に対応して、表示灯５０（表示部本体５１）の台座部５２の底壁には、裏面カバー６０を結合するためのネジを挿通するためのネジ挿通穴５２ｄが２個設けられている（図７参照）。
【００４４】
さらに、図９に示すように、内壁６４の下壁部中央の湾曲部６４ｄの左側にはボス部６７が設けられていないため、比較的大きな空間が生じているので、この空間に、リード線７０を介してＬＥＤ実装基板６５Ａ，６５Ｂへ供給する電源の中継基板６８が配設されている。
また、リード線７０は、外壁部６２下部の挿通孔６２ｂから挿入され、ボス部６７の周囲を迂回して内壁部６４下部の湾曲部６４ｅの下方を通って電源の中継基板６８に接続されている。リード線７０は、外壁部６２下部の挿通孔６２ｂから挿入して直ちに電源の中継基板６８に接続させることも可能であるが、上記のように一旦基板と反対側のボス部６７の周囲へ迂回させることで、リード線７０に外から張力が作用した際に、電源の中継基板６８が移動して断線が生じたりリード線７０が挿通孔６２ｂの縁部に擦れて外皮が傷ついたりするのを防止することができる。
そして、電源の中継基板６８からＬＥＤ接続基板６５Ａの一端（図では下端）には、一端が接続されたリード線７１を介してＬＥＤ実装基板６５Ａへ給電を行うように構成されている。
【００４５】
さらに、図示しないが、ＬＥＤ実装基板６５Ａには、該基板上のＬＥＤに対して給電するための配線パターンの他、長さ方向に延びるように形成されたバイパス用の配線パターンが設けられており、このバイパス用の配線パターンおよびＬＥＤ実装基板６５Ａの他端（図では上端）に一端が接続されたリード線７２を介して他方のＬＥＤ実装基板６５Ｂへ給電を行うように構成されている。この際、リード線７２は、ボス部６７と内壁６４との隙間から内壁６４の湾曲部６４ｄの上方を回ってＬＥＤ実装基板６５Ｂまで延設されている。
【００４６】
これにより、リード線７２が内部で移動しないように押さえることができる。
また、外壁部６２下部の挿通孔６２ｂから給電用のリード線７０と７２の両方を挿入して２股に分け、一方を中継基板６８に接続し、他方をＬＥＤ実装基板６５Ｂに接続したとすると、リード線にねじれが生じて中継基板６８を持ち上げる方向の力が作用するが、リード線７２を上方に配設することで、中継基板６８の浮き上がりを防止することができる。
【００４７】
なお、外壁部６２下部の挿通孔６２ｂの右縁部には、丸みを持たせた肉厚部６２ｃが形成されており、この肉厚部６２ｃによって、リード線７０が挿通孔６２ｂの縁部と接触して擦れて外皮が傷つくのを防止することができる。挿通孔６２ｂの左縁部にも同様な肉厚部を形成しておくようにしても良い。
また、この実施例では、ＬＥＤ実装基板６５Ａ，６５Ｂ上に、５個のＬＥＤが１列に並んだ状態で実装されており、ＬＥＤ実装面を外向きにした状態でＬＥＤ実装基板６５Ａ，６５Ｂが裏面カバー６０に取り付けられている。これにより、ＬＥＤの発光は、左右両側方へ外向きに照射されるため、前方へ向けて照射するものに比べてＬＥＤの光が点状に見えて、表示面に光のムラが生じるのを抑制することができるようになっている。
【００４８】
また、内壁６４の左右両側壁部６４ａ，６４ｂの外側方には、側壁と平行であって側壁よりも低い高さのリブ６６ｃ，６６ｄが、基板の厚み分の隙間ができるように形成されている。そして、表示部本体５１の背部に裏面カバー６０を嵌合させた際に、このリブ６６ｃ，６６ｄの上端面に、前記表示部本体５１の裏面に設けられている光誘導壁５２ｅの下端面が接触するように構成されている。なお、リブ６６ｃ，６６ｄの上端面および光誘導壁５２ｅの下端面に、互いに係合可能な凹凸を形成しておくようにしても良い。これにより、表示部本体５１に裏面カバー６０を装着する際に、容易に位置決めを行えるようにすることができる。
【００４９】
上記のように、本実施例においては、ＬＥＤ実装面を外向きにした状態でＬＥＤ実装基板６５Ａ，６５Ｂが裏面カバー６０に取り付けられているとともに、リブ６６ｃ，６６ｄの上端面が表示部本体５１の裏面に形成されている光誘導壁５２ｅの下端面と接触するように構成されていることにより、ＬＥＤから照射された光はほとんどが表示部本体５１裏面の光誘導壁５２ｅの側面から進入し、反射を繰り返しながら内部を伝わって表示灯５０の表示パネル部５１Ａ，５１Ｂの前面から前方へ出射されるようになる。
【００５０】
また、ＬＥＤ実装基板６５Ａ，６５Ｂの前方は、表示灯５０の収納凹部５２Ａを構成する底壁があり、該収納凹部５２Ａの底壁には発信機１０の本体ケース１２のフランジ部が接することになる。そのため、該本体ケース１２のフランジ部および発信機１０の取付けベース体１３によって、ＬＥＤ実装基板６５Ａ，６５Ｂ上のＬＥＤの前方が塞がれ、ＬＥＤから照射された光が前方へ漏れることはなく、表示灯５０の表示パネル部５１Ａ，５１Ｂの前方からＬＥＤの光が点状に見えて、表示面に光のムラが生じるのを防止することができる。
【００５１】
さらに、本実施例においては、ＬＥＤの発光が左右両側方へ外向きに照射されるように構成されているが、表示灯５０の円形状台座部５２に黒色の裏面カバー６０が密着した状態で嵌合されるように構成されていることで、既存の機器収容箱や消火栓箱の前面パネルに設置された際に、ＬＥＤの光が箱の内部に漏れて、前面パネルの隙間から光が見えてしまうのを防止することができる。
【００５２】
図１１には、上記のような構成を有する本実施例における表示灯５０を発信機１０と合体させて設置する方法の一例が示されている。図１１に示すように、発信機１０は、本体ケース１２の外形に対応した形状の開口３０Ａを有する消火栓箱や各種機器収容箱の扉のパネルあるいは建物の壁面に設けられている取付けパネルのようなパネル３０を挟むようにして、発信機１０とリング状のナット２０を対向させるとともに、発信機１０とパネル３０との間に、背部に裏面カバー６０を嵌合させた表示灯５０を介在させ、発信機１０の本体ケース１２をパネル３０の開口３０Ａ内に挿入する。そして、背部に突出した取付けベース体１３の外周面の部分雄ネジ１３Ｄ1と１３Ｄ2に、ナット２０の雌ネジ部２０Ａを螺合させることで、パネル３０に取り付けられる。
【００５３】
以上、本発明を実施形態に基づいて説明したが、本発明は上記実施形態のものに限定されるものではない。例えば、上記実施例においては、ＬＥＤ実装基板６５Ｂへの給電を、ＬＥＤ実装基板６５Ａに形成されたバイパス用の配線パターン（線条の導電体）およびＬＥＤ実装基板６５Ａの他端（図では上端）に接続されたリード線７２を介して行うように構成したものを示したが、外壁部６２下部の挿通孔６２ｂから挿入されたリード線７０によって直接給電を行うように構成しても良い。
【００５４】
また、上記実施例においては、発信機１０の本体ケース１２の収容部の背部および円筒状周壁５１Ｃの外側を覆うように、外側に対して非透過性の加工および／または内部に対しては反射性の高い加工が施された裏面カバー６０を嵌合させているが、裏面カバー６０を省略しても良い。例えば台座部５２の裏面や円筒状周壁５１Ｃの外面に反射層を形成しておくようにすれば、裏面カバー６０がなくても裏面カバー６０がある場合と同様に、内部からの光を反射させて表示パネル部５１Ａ，５１Ｂを明るく表示させることができる。
また、表示部本体５１の裏面に形成されている光誘導壁５２ｅの前端に設けられているテーパ面５２ｃの表面に、反射テープなどからなる反射層を設けるようにしても良い。
【００５５】
さらに、上記実施例においては火災発信機と合体される表示灯５０の左右の表示パネル部５１Ａ，５１Ｂの形状として弓形を採用したものを示したが、三日月形やかまぼこ形のような形状を採用するようにしても良い。
また、上記実施形態では、本発明を、火災報知システムを構成する火災発信機と合体可能に構成した表示灯に適用したものを説明したが、本発明は火災発信機の表示灯に限定されず、駅のプラットホームや踏切に設置される列車緊急報知用の発信機と一体に設けられる表示灯に広く利用することができる。
【符号の説明】
【００５６】
１０  発信機
１１  押釦
１２  本体ケース
１３  取付けベース体
１３Ａ  収納枠部
１３Ｂ  フランジ部
１３Ｄ  部分雄ネジ
１９  回路基板
２０  リング状ナット
３０  取付けパネル
５０  表示灯
５１  表示部本体
５１Ａ，５１Ｂ  表示パネル部
５１Ｃ  円筒状周壁（凹部形成壁）
５１ａ，５１ｂ  ＬＥＤ収納凹部（凹部）
５２  台座部
５２Ａ  収納凹部（収容部）
５２ｃ  テーパ面（テーパ部）
５２ｅ  光誘導壁（壁体）
６０  裏面カバー
６３  開口
６５Ａ，６５Ｂ  ＬＥＤ実装基板（基板）
７０，７１，７２  リード線
【図１】
2018195181.tif 000003
【図２】
2018195181.tif 000004
【図３】
2018195181.tif 000005
【図４】
2018195181.tif 000006
【図５】
2018195181.tif 000007
【図６】
2018195181.tif 000008
【図７】
2018195181.tif 000009
【図８】
2018195181.tif 000010
【図９】
2018195181.tif 000011
【図１０】
2018195181.tif 000012
【図１１】
2018195181.tif 000013